(57)【要約】【課題】空気調和機のプレート式熱交換器の洗浄を容易化できるようにする。【解決手段】室内熱交換器４及びポンプ１１とプレート式熱交換器１の負荷側熱交換部１ｂとの間にユニット化された洗浄装置３１を配置して、洗浄装置３１により水循環回路１０だけでなく、洗浄水循環回路５１も形成できるようにする。【選択図】図１
2014105897.tif 000002
【特許請求の範囲】
【請求項１】
プレート式熱交換器の熱源側熱交換部と負荷側熱交換部を介して、熱源側となる冷媒循環回路を流れる冷媒と負荷側となる水循環回路を流れる水との間で熱交換を行わせ、建物内の空調を行う空気調和機において、
前記水循環回路は、前記負荷側熱交換部、及び室内熱交換器を有し、前記室内熱交換器と前記負荷側熱交換部との間がユニット化された洗浄装置により接続され、水ポンプにより水が駆動され、前記洗浄装置を介して前記負荷側熱交換部、及び前記室内熱交換器が環状に接続されており、
前記ユニット化された洗浄装置は、少なくとも、
前記室内熱交換器の一端側と前記負荷側熱交換部の一端側とを接続する第１の配管と、
前記負荷側熱交換部の他端側と前記室内熱交換器の他端側とを接続する第２の配管と、
前記第１の配管と前記第２の配管との間に接続されたバイパス配管と、
前記第１の配管における前記水ポンプと前記バイパス配管の接続部との間に設けられた第１の電動弁と、
前記第２の配管における前記室内熱交換器と前記バイパス配管の接続部との間に設けられた第２の電動弁と、
前記バイパス配管の途中に設けられた洗浄水タンク及び洗浄水ポンプと、
前記バイパス配管における前記洗浄水ポンプと前記第１の配管の接続部との間に設けられた第３の電動弁と、
前記バイパス配管における前記洗浄水タンクと前記第２の配管の接続部との間に設けられた第４の電動弁と、
前記洗浄水ポンプより吐出された洗浄水の流れの方向を制御する洗浄水流れ方向切換手段と、
前記第１〜第４の電動弁、前記洗浄水ポンプ、及び前記洗浄水流れ方向切換手段を制御する制御装置と、を備え、
前記制御装置は、前記第１、第２の電動弁を閉じさせ、前記第３、第４の電動弁を開かせることで、前記洗浄水タンク、前記洗浄水ポンプ、及び前記負荷側熱交換部とが、前記第１の配管、第２の配管、及び前記バイパス配管により接続された洗浄水循環回路を形成させ、前記洗浄水ポンプを駆動させることで前記プレート式熱交換器の洗浄を行わせ、また前記洗浄水流れ方向切換手段を切り換えさせることで、前記負荷側熱交換部を通過する洗浄水の流れの向きを逆向きとして前記プレート式熱交換器の逆洗を行わせることを特徴とする空気調和機のプレート式熱交換器の洗浄装置。
【請求項２】
前記洗浄水流れ方向切換手段は、ブリッジ回路で形成されており、
前記ブリッジ回路は、
前記第１の配管における前記バイパス配管の接続部と前記負荷側熱交換部との間に設けられた第５の電動弁と、
前記第２の配管における前記バイパス配管の接続部と前記負荷側熱交換部との間に設けられた第６の電動弁と、
前記第１の配管における前記バイパス配管の接続部と前記第５の電動弁との間に一端が接続されるとともに、前記第２の配管における第６の電動弁と前記負荷側熱交換部との間に他端が接続されたブリッジ用第１バイパス配管と、
前記第２の配管における前記バイパス配管の接続部と前記第６の電動弁との間に一端が接続されるとともに、前記第１の配管における第５の電動弁と前記負荷側熱交換部との間に他端が接続されたブリッジ用第２バイパス配管と、
前記ブリッジ用第１バイパス配管の途中に設けられた第７の電動弁と、
前記ブリッジ用第２バイパス配管の途中に設けられた第８の電動弁と、を備え、
前記第３、第４、第５、第６の電動弁を開とし、前記第１、第２、第７、第８の電動弁を閉とすることで、前記負荷側熱交換部を通過する洗浄水の流れの向きを正向きとし、また前記第１、第２、第５、第６の電動弁を閉とし、前記第３、第４、第７、第８の電動弁を開とすることで、前記負荷側熱交換部を通過する洗浄水の流れの向きを逆向きとすることを特徴とする請求項１記載の空気調和機のプレート式熱交換器の洗浄装置。
【請求項３】
前記洗浄水流れ方向切換手段は、前記洗浄水ポンプの吐出側に配置され、前記第１の配管と前記第２の配管との間で前記洗浄水ポンプの吐出流路の切換を行う四方弁で形成されていることを特徴とする請求項１記載の空気調和機のプレート式熱交換器の洗浄装置。
【請求項４】
前記洗浄水流れ方向切換手段は、ブリッジ回路で形成されており、
前記ブリッジ回路は、
前記バイパス配管における前記洗浄水ポンプと前記第３の電動弁との間に設けられた第９の電動弁と、
前記第２の配管における前記バイパス配管の接続部と前記負荷側熱交換部との間に設けられた第１０の電動弁と、
前記バイパス配管における前記第３の電動弁と前記第９の電動弁との間に一端が接続されるとともに、前記第２の配管における前記第２の電動弁と前記第１０の電動弁との間に他端が接続されたブリッジ用第３バイパス配管と、
前記バイパス配管における前記洗浄水ポンプと前記第９の電動弁との間に一端が接続されるとともに、前記第２の配管における前記第１０の電動弁と前記負荷側熱交換部との間に他端が接続されたブリッジ用第４バイパス配管と、
前記ブリッジ用第３バイパス配管の途中に設けられた第１１の電動弁と、
前記ブリッジ用第４バイパス配管の途中に設けられた第１２の電動弁と、を備え、
前記第３、第４、第９、第１０の電動弁を開とし、前記第１、第２、第１１、第１２の電動弁を閉とすることで、前記負荷側熱交換部を通過する洗浄水の流れの向きを正向きとし、また前記第１、第２、第９、第１０の電動弁を閉とし、前記第３、第４、第１１、第１２の電動弁を開とすることで、前記負荷側熱交換部を通過する洗浄水の流れの向きを逆向きとすることを特徴とする請求項１記載の空気調和機のプレート式熱交換器の洗浄装置。
【発明の詳細な説明】
【技術分野】
【０００１】
本発明は、プレート式熱交換器を介して熱源側となる冷媒循環回路を流れる冷媒と負荷側となる水循環回路を流れる水との間で熱交換を行わせる空気調和機において、プレート式熱交換器の洗浄を容易化できる洗浄装置に関する。
【背景技術】
【０００２】
従来より、プレート式熱交換器を介して熱源側となる冷媒循環回路を流れる冷媒と負荷側となる水循環回路を流れる水との間で熱交換を行わせ、建物内の空調を行う空気調和機が知られている（例えば、特許文献１参照）。
ところで、プレート式熱交換器を使用する水循環回路においては、使用期間によってプレート式熱交換器内にスケールや汚れが付着する。これを放置すると配管詰まりが起こるため、定期的にプレート式熱交換器内の洗浄が必要となる。プレート式熱交換器内の洗浄は、水循環回路内に洗浄水を流すことで行われるが、スケールは硬く、剥がれにくいため、洗浄の際、洗浄水を水循環回路運転時の水の流れと同じ方向に流す洗浄だけでなく、逆方向に流す逆洗の必要がある。この洗浄を、従来は、手動でバルブ等により水循環回路内の水の流れを止め、洗浄水タンクと洗浄水ポンプとをプレート式熱交換器側に接続する繋ぎ替えを行うことで、洗浄水循環回路を形成し、プレート式熱交換器の洗浄を行っていた。また、逆洗の際は、洗浄水タンクと洗浄水ポンプとのプレート式熱交換器側に対する繋ぎ替えを手動で行うことで、洗浄水逆循環回路を形成し、プレート式熱交換器の逆洗を行っていた。
【先行技術文献】
【特許文献】
【０００３】
【特許文献１】特許第３８５８３５４号公報（図８、段落［００２１］〜［００３４］）
【発明の概要】
【発明が解決しようとする課題】
【０００４】
このように、従来は、プレート式熱交換器を洗浄するための洗浄水循環回路及び洗浄水逆循環回路の構築を全て手動で行っていた。また、逆洗が完了したら、洗浄水タンクと洗浄水ポンプを水循環回路から取り外し、空調機通常運転時の水循環回路に復旧する作業が必要であり、これら一連の作業が煩わしいという問題があった。
【０００５】
本発明は、以上のような課題を解決するためになされたもので、空気調和機のプレート式熱交換器の洗浄を容易化できるようにすることを目的とする。
【課題を解決するための手段】
【０００６】
本発明に係る空気調和機のプレート式熱交換器の洗浄装置は、プレート式熱交換器の熱源側熱交換部と負荷側熱交換部を介して、熱源側となる冷媒循環回路を流れる冷媒と負荷側となる水循環回路を流れる水との間で熱交換を行わせ、建物内の空調を行う空気調和機において、水循環回路は、負荷側熱交換部、及び室内熱交換器を有し、室内熱交換器と負荷側熱交換部との間がユニット化された洗浄装置により接続され、水ポンプにより水が駆動され、前記洗浄装置を介して負荷側熱交換部、及び室内熱交換器が環状に接続されており、ユニット化された洗浄装置は、少なくとも、室内熱交換器の一端側と負荷側熱交換部とを接続する第１の配管と、負荷側熱交換部の他端側と室内熱交換器の他端側とを接続する第２の配管と、第１の配管と第２の配管との間に接続されたバイパス配管と、第１の配管における水ポンプとバイパス配管の接続部との間に設けられた第１の電動弁と、第２の配管における室内熱交換器とバイパス配管の接続部との間に設けられた第２の電動弁と、バイパス配管における第３、第４の電動弁の間に設けられた洗浄水タンク及び洗浄水ポンプと、バイパス配管における洗浄水ポンプと第１の配管の接続部との間に設けられた第３の電動弁と、バイパス配管における洗浄水タンクと第２の配管の接続部との間に設けられた第４の電動弁と、洗浄水ポンプより吐出された洗浄水の流れの方向を制御する洗浄水流れ方向切換手段と、第１〜第４の電動弁、洗浄水ポンプ、及び洗浄水流れ方向切換手段を制御する制御装置と、を備え、制御装置は、第１、第２の電動弁を閉じさせ、第３、第４の電動弁を開かせることで、前記水タンク、洗浄水ポンプ、及び負荷側熱交換部とが、第１の配管、第２の配管、及びバイパス配管により接続された洗浄水循環回路を形成させ、洗浄水ポンプを駆動させることでプレート式熱交換器の洗浄を行わせ、また洗浄水流れ方向切換手段を切り換えさせることで、負荷側熱交換部を通過する洗浄水の流れの向きを逆向きとしてプレート式熱交換器の逆洗を行わせるものである。
【発明の効果】
【０００７】
本発明の空気調和機のプレート式熱交換器の洗浄装置によれば、室内熱交換器及びポンプとプレート式熱交換器の負荷側熱交換部との間にユニット化された洗浄装置を配置して、洗浄装置により水循環回路だけでなく、洗浄水循環回路も形成できるようにしているため、空気調和機のプレート式熱交換器の洗浄を容易に行うことができる。
【図面の簡単な説明】
【０００８】
【図１】実施形態１に係る空気調和機のプレート式熱交換器の洗浄装置の洗浄水循環回路を示す図である。
【図２】実施形態２に係る空気調和機のプレート式熱交換器の洗浄装置の洗浄水循環回路を示す図である。
【図３】実施形態３に係る空気調和機のプレート式熱交換器の洗浄装置の洗浄水循環回路を示す図である。
【発明を実施するための形態】
【０００９】
以下、本発明の実施形態を図面に基づいて説明する。
【００１０】
実施形態１．
図１は実施形態１に係る空気調和機のプレート式熱交換器の洗浄装置の洗浄水循環回路を示す図である。
実施形態１の空気調和機は、図１に示すように、プレート式熱交換器１の熱源側熱交換部１ａと負荷側熱交換部１ｂを介して、熱源側となる冷媒循環回路２０を流れる冷媒と負荷側となる水循環回路１０を流れる水との間で熱交換を行わせ、建物内の空調を行うものである。
【００１１】
水循環回路１０は、プレート式熱交換器１の洗浄に当たって配管内の水を抜くための開閉弁１４を備えたドレン管１５を有するとともに、プレート式熱交換器１の洗浄後に、水循環回路１０に復旧するための水栓１３が設けられている。また、水循環回路１０は、水ポンプ１１、負荷側熱交換部１ｂ、及び室内熱交換器４を有し、室内熱交換器４及び水ポンプ１１と負荷側熱交換部１ｂとの間がユニット化（破線で囲まれた部分）された洗浄装置３１により接続され、洗浄装置３１を介して水ポンプ１１、負荷側熱交換部１ｂ、及び室内熱交換器４が環状に接続されている。ユニット化された洗浄装置３１は、少なくとも、水ポンプ１１と負荷側熱交換部１ｂとを接続する第１の配管４１と、負荷側熱交換部１ｂと前記室内熱交換器４とを接続する第２の配管４２と、第１の配管４１と第２の配管４２との間に接続されたバイパス配管４３とを備えている。
【００１２】
また、洗浄装置３１には、第１の配管４１における水ポンプ１１とバイパス配管４３の接続部との間に第１の電動弁Ａが設けられている。また、洗浄装置３１には、第２の配管４２における室内熱交換器４とバイパス配管４３の接続部との間に第２の電動弁Ｂが設けられている。また、洗浄装置３１には、バイパス配管４３の途中に洗浄水タンク２及び洗浄水ポンプ３が設けられている。また、洗浄装置３１には、バイパス配管４３における洗浄水ポンプ３と第１の配管４１の接続部との間に第３の電動弁Ｃが設けられている。なお、洗浄水タンク２は最下位置に配置されている。
【００１３】
また、洗浄装置３１には、バイパス配管４３における洗浄水タンク２と第２の配管４２の接続部との間に第４の電動弁Ｄが設けられている。また、洗浄装置３１には、洗浄水ポンプ３より吐出された洗浄水の流れの方向を制御する洗浄水流れ方向切換手段、すなわちブリッジ回路３５と、第１〜第４の電動弁Ａ〜Ｄと、洗浄水ポンプ３とを制御する制御装置２１が備えられている。
【００１４】
制御装置２１は、第１、第２の電動弁Ａ，Ｂを閉じさせ、第２、第３の電動弁Ｃ，Ｄを開かせることで、洗浄水タンク２、洗浄水ポンプ３、及び負荷側熱交換部１ｂとが、第１の配管４１、第２の配管４２、及びバイパス配管４３により接続された洗浄水循環回路５１を形成させる。また、制御装置２１は、洗浄水ポンプ３を駆動させることでプレート式熱交換器１の洗浄を行わせる。また、制御装置２１は、ブリッジ回路３５を切り換えさせることで、負荷側熱交換部１ｂを通過する洗浄水の流れの向きを逆向きとしてプレート式熱交換器１の逆洗を行わせる。
【００１５】
ブリッジ回路３５は、第１の配管４１におけるバイパス配管４３の接続部と負荷側熱交換部１ｂとの間に設けられた第５の電動弁Ｅと、第２の配管４２におけるバイパス配管４３の接続部と負荷側熱交換部１ｂとの間に設けられた第６の電動弁Ｆとを備えている。また、ブリッジ回路３５には、第１の配管４１におけるバイパス配管４３の接続部と第５の電動弁Ｅとの間に一端が接続されるとともに、第２の配管４２における第６の電動弁Ｆと前記負荷側熱交換部１ｂとの間に他端が接続されたブリッジ用第１バイパス配管４４が設けられている。また、ブリッジ回路３５には、第２の配管４２におけるバイパス配管４３の接続部と第６の電動弁Ｆとの間に一端が接続されるとともに、第１の配管４１における第５の電動弁Ｅと負荷側熱交換部１ｂとの間に他端が接続されたブリッジ用第２バイパス配管４５が設けられている。そして、ブリッジ用第１バイパス配管４４の途中には、第７の電動弁Ｇが設けられ、ブリッジ用第２バイパス配管４５の途中には、第８の電動弁Ｈが設けられている。
【００１６】
次に、実施形態１に係る空気調和機のプレート式熱交換器の洗浄装置の動作について図１に基づき説明する。図１中、黒塗り矢印ａ１〜ａ７は、洗浄水の流れ方向（水循環回路の通常運転時の水の流れ方向と同一方向）を示し、白抜き矢印ｂ１〜ｂ９は、逆洗時の洗浄水の流れ方向を示している。
【００１７】
既述したように、水循環回路１０は、室内熱交換器４及び水ポンプ１１と負荷側熱交換部１ｂとの間がユニット化（破線で囲まれた部分）された洗浄装置３１により接続され、洗浄装置３１を介して水ポンプ１１、負荷側熱交換部１ｂ、及び室内熱交換器４が環状に接続されている。そして、洗浄装置３１により水循環回路１０だけでなく、洗浄水循環回路５１も形成できるようにしている。プレート式熱交換器１の洗浄モードへの移行は、制御装置２１により自動的に行われる。なお、プレート式熱交換器１の洗浄に先立ち、水循環回路１０内の水は、開閉弁１４及びドレン管１５より排出され、抜かれているものとする。
【００１８】
プレート式熱交換器１に洗浄水が流れる洗浄モードへの移行は、まず第１、第２の電動弁Ａ，Ｂを閉、第３、第４の電動弁Ｃ，Ｄを開に制御して室内熱交換器４への洗浄水の流れを遮断する。次いで、洗浄水ポンプ３を稼動させて洗浄水タンク２からプレート式熱交換器１の負荷側熱交換部１ｂへ洗浄水を供給することで行われる。その上で、プレート式熱交換器１にて、水循環回路１０の通常運転時の水の流れ方向と同一方向（正向き）に洗浄水を流す洗浄時は、第５、第６の電動弁Ｅ，Ｆを開、第７、第８の電動弁Ｇ，Ｈを閉に制御して、洗浄水が黒塗り矢印ａ１〜ａ７の順で配管内を流れるようにする。つまり、プレート式熱交換器１の洗浄時は、負荷側熱交換部１ｂにて、水循環回路１０の通常運転時の水の流れ方向と同一方向に洗浄水が流れるようにして、プレート式熱交換器１の洗浄を行う。
【００１９】
また、プレート式熱交換器１にて、水循環回路１０の通常運転時の水の流れ方向とは逆向きに洗浄水を流す逆洗を行う際は、第１、第２の電動弁Ａ，Ｂを閉、第３、第４の電動弁Ｃ，Ｄを開にしたまま、第５、第６の電動弁Ｅ，Ｆを閉、第７、第８の電動弁Ｇ，Ｈを開に制御する。そして、洗浄水ポンプ３を稼動させ、洗浄水が白抜き矢印ｂ１〜ｂ９の順で配管内を流れるようにする。つまり、プレート式熱交換器１の逆洗時は、プレート式熱交換器１の負荷側熱交換部１ｂにて、水循環回路１０の通常運転時の水の流れ方向とは逆方向に洗浄水が流れるようにして、プレート式熱交換器１の洗浄を行う。
【００２０】
プレート式熱交換器１の洗浄が完了すれば、第１、第２の電動弁Ａ，Ｂを閉としたまま、その他の第３〜第８の電動弁Ｃ〜Ｈを開とし、洗浄水循環回路５１内の洗浄水を洗浄水タンク２へ回収する。
【００２１】
その後、第３、第４の電動弁Ｃ，Ｄを閉、第１、第２の電動弁Ａ，Ｂを開として、水栓１３を開き、水ポンプ１１を駆動して、水循環回路１０内に水が充填されたら水栓１３を閉じることで、元のクローズド回路の水循環回路１０に復旧する。そして、洗浄水循環回路５１にて洗浄水の流れの方向を制御するのに用いたブリッジ回路３５は、水循環回路１０でも水の流れの方向を制御するのに用いることができる。
【００２２】
なお、第１の配管４１に開閉弁付き空気導入管を設ければ、水循環回路１０からの水抜き、及び洗浄水循環回路５１から洗浄水タンク２への洗浄水の回収が更に容易となる。
【００２３】
このように、本発明の空気調和機のプレート式熱交換器の洗浄装置によれば、室内熱交換器４及び水ポンプ１１とプレート式熱交換器１の負荷側熱交換部１ｂとの間にユニット化された洗浄装置３１を配置して、洗浄装置３１により水循環回路１０だけでなく、洗浄水循環回路５１も形成できるようにしているので、空気調和機のプレート式熱交換器の洗浄を容易に行うことができる。
【００２４】
実施形態２．
図２は実施形態２に係る空気調和機のプレート式熱交換器の洗浄装置の洗浄水循環回路を示す図であり、前述の実施形態１に相当する部分には同一符号を付してある。
実施形態２の空気調和機は、図２に示すように、洗浄水流れ方向切換手段として、洗浄水ポンプ３の吐出側に配置され、第３、第４の電動弁を介して前記第１の配管４１と前記第２の配管４２との間で前記洗浄水ポンプ３の吐出流路の切換を行う四方弁５を用いたものである。
【００２５】
また、実施形態２の空気調和機は、水循環回路１０の水ポンプとして正逆循環ポンプ１２が用いられている。正逆循環ポンプ１２は、洗浄水流れ方向切換手段としての機能を持つ。また、ユニット化された洗浄装置３２の第２の配管４２と洗浄水タンク２との間には、開閉弁４８を備えた洗浄水回収管４９が設けられている。また、洗浄装置３２には、四方弁５と、第１〜第４の電動弁Ａ〜Ｄと、洗浄水ポンプ３と、洗浄水回収管４９の開閉弁４８とを制御する制御装置２２が備えられている。それ以外の構成は前述の実施形態１のものと同様である。
【００２６】
次に、実施形態２に係る空気調和機のプレート式熱交換器の洗浄装置の動作について図２に基づき説明する。図２中、黒塗り矢印ａ１〜ａ１０は、洗浄水の流れ方向（水循環回路の通常運転時の水の流れ方向と同一方向）を示し、白抜き矢印ｂ１〜ｂ１０は、逆洗時の洗浄水の流れ方向を示している。
【００２７】
ここでも、水循環回路１０は、室内熱交換器４及び正逆循環ポンプ１２と負荷側熱交換部１ｂとの間がユニット化（破線で囲まれた部分）された洗浄装置３２により接続され、洗浄装置３２を介して正逆循環ポンプ１２、負荷側熱交換部１ｂ、及び室内熱交換器４が環状に接続されている。そして、洗浄装置３２により水循環回路１０だけでなく、洗浄水循環回路５２も形成できるようにしている。プレート式熱交換器１の洗浄モードへの移行は、制御装置２２により自動的に行われる。なお、プレート式熱交換器１の洗浄に先立ち、水循環回路１０内の水は、開閉弁１４及びドレン管１５より排出され、抜かれているものとする。
【００２８】
プレート式熱交換器１に洗浄水が流れる洗浄モードへの移行は、まず第１、第２の電動弁Ａ，Ｂを閉、第３、第４の電動弁Ｃ，Ｄを開に制御して室内熱交換器４への洗浄水の流れを遮断する。次いで、洗浄水ポンプ３を稼動させて洗浄水タンク２からプレート式熱交換器１の負荷側熱交換部１ｂへ洗浄水を供給することで行われる。その上で、プレート式熱交換器１にて、水循環回路１０の通常運転時の水の流れ方向と同一方向（正向き）に洗浄水を流す洗浄時は、四方弁５を洗浄水の流れが実線の方向となるように制御し、洗浄水が黒塗り矢印ａ１〜ａ１０の順で配管内を流れるようにする。つまり、プレート式熱交換器１の洗浄時は、負荷側熱交換部１ｂにて、水循環回路１０の通常運転時の水の流れ方向と同一方向に洗浄水が流れるようにして、プレート式熱交換器１の洗浄を行う。
【００２９】
また、プレート式熱交換器１にて、水循環回路１０の通常運転時の水の流れ方向とは逆向きに洗浄水を流す逆洗を行う際は、第１、第２の電動弁Ａ，Ｂを閉、第３、第４の電動弁Ｃ，Ｄを開にしたまま、四方弁５を洗浄水の流れが破線の方向となるように制御し、洗浄水が白抜き矢印ｂ１〜ｂ１０の順で配管内を流れるようにする。つまり、プレート式熱交換器１の逆洗時は、プレート式熱交換器１の負荷側熱交換部１ｂにて、水循環回路１０の通常運転時の水の流れ方向とは逆方向に洗浄水が流れるようにして、プレート式熱交換器１の洗浄を行う。
【００３０】
プレート式熱交換器１の洗浄が完了すれば、第１、第２の電動弁Ａ，Ｂを閉、第３、第４の電動弁Ｃ，Ｄを開としたまま、更に洗浄水回収管４９の開閉弁４８を開とし、洗浄水循環回路５２内の洗浄水を洗浄水タンク２へ回収する。
【００３１】
その後、第３、第４の電動弁Ｃ，Ｄ及び洗浄水回収管４９の開閉弁４８を閉、第１、第２の電動弁Ａ，Ｂを開として、水栓１３を開き、正逆循環ポンプ１２を駆動して正回転させて正向きに水を流し、水循環回路１０内に水が充填されたら水栓１３を閉じることで、元のクローズド回路の水循環回路１０に復旧する。水循環回路１０内の水の流れの方向を逆向きとする場合は、正逆循環ポンプ１２を逆回転させて逆向きに洗浄水を流す。
【００３２】
なお、ここでも第１の配管４１に開閉弁付き空気導入管を設ければ、水循環回路１０からの水抜き、及び洗浄水循環回路５２から洗浄水タンク２への洗浄水の回収が更に容易となる。
【００３３】
このように、本発明の空気調和機のプレート式熱交換器の洗浄装置によれば、室内熱交換器４及び正逆循環ポンプ１２とプレート式熱交換器１の負荷側熱交換部１ｂとの間にユニット化された洗浄装置３２を配置して、洗浄装置３２により水循環回路１０だけでなく、洗浄水循環回路５２も形成できるようにしているので、空気調和機のプレート式熱交換器の洗浄を容易に行うことができる。
【００３４】
実施形態３．
図３は実施形態３に係る空気調和機のプレート式熱交換器の洗浄装置の洗浄水循環回路を示す図であり、前述の実施形態１及び実施形態２に相当する部分には同一符号を付してある。
実施形態３の空気調和機は、図３に示すように、洗浄装置３３の洗浄水流れ方向切換手段として用いるブリッジ回路の変形例を示している。
【００３５】
このブリッジ回路３６は、バイパス配管４３における洗浄水ポンプ３と第３の電動弁Ｃとの間に設けられた第９の電動弁Ｉと、第２の配管４２におけるバイパス配管４３の接続部と負荷側熱交換部１ｂとの間に設けられた第１０の電動弁Ｊとを備えている。また、ブリッジ回路３６は、バイパス配管４３における第３の電動弁Ｃと第９の電動弁Ｉとの間に一端が接続されるとともに、第２の配管４２における第２の電動弁Ｂと第１０の電動弁Ｊとの間に他端が接続されたブリッジ用第３バイパス配管４６を備えている。また、ブリッジ回路３６は、バイパス配管４３における洗浄水ポンプ３と第９の電動弁Ｉとの間に一端が接続されるとともに、第２の配管４２における第１０の電動弁Ｊと負荷側熱交換部１ｂとの間に他端が接続されたブリッジ用第４バイパス配管４７を備えている。そして、ブリッジ用第３バイパス配管４６の途中には、第１１の電動弁Ｋが設けられ、ブリッジ用第４バイパス配管４７の途中には、第１２の電動弁Ｌが設けられている。それ以外の構成は前述の実施形態１及び実施形態２のものと同様である。
【００３６】
次に、実施形態３に係る空気調和機のプレート式熱交換器の洗浄装置の動作について図３に基づき説明する。図３中、黒塗り矢印ａ１〜ａ１０は、洗浄水の流れ方向（水循環回路の通常運転時の水の流れ方向と同一方向）を示し、白抜き矢印ｂ１〜ｂ１０は、逆洗時の洗浄水の流れ方向を示している。
ここでも、水循環回路１０は、室内熱交換器４及び正逆循環ポンプ１２と負荷側熱交換部１ｂとの間がユニット化（破線で囲まれた部分）された洗浄装置３３により接続され、洗浄装置３３を介して正逆循環ポンプ１２、負荷側熱交換部１ｂ、及び室内熱交換器４が環状に接続されている。そして、洗浄装置３３により水循環回路１０だけでなく、洗浄水循環回路５３も形成できるようにしている。プレート式熱交換器１の洗浄モードへの移行は、制御装置２３により自動的に行われる。なお、プレート式熱交換器１の洗浄に先立ち、水循環回路１０内の水は、開閉弁１４及びドレン管１５より排出され、抜かれているものとする。
【００３７】
プレート式熱交換器１に洗浄水が流れる洗浄モードへの移行は、まず第１、第２の電動弁Ａ，Ｂを閉、第３、第４の電動弁Ｃ，Ｄを開に制御して室内熱交換器４への洗浄水の流れを遮断する。次いで、洗浄水ポンプ３を稼動させて洗浄水タンク２からプレート式熱交換器１の負荷側熱交換部１ｂへ洗浄水を供給することで行われる。その上で、プレート式熱交換器１にて、水循環回路１０の通常運転時の水の流れ方向と同一方向（正向き）に洗浄水を流す洗浄時は、第１１、第１２の電動弁Ｋ，Ｌを閉、第９、第１０の電動弁Ｉ，Ｊを開に制御して、洗浄水が黒塗り矢印ａ１〜ａ１０の順で配管内を流れるようにする。つまり、プレート式熱交換器１の洗浄時は、負荷側熱交換部１ｂにて、水循環回路１０の通常運転時の水の流れ方向と同一方向に洗浄水が流れるようにして、プレート式熱交換器１の洗浄を行う。
【００３８】
また、プレート式熱交換器１にて、水循環回路１０の通常運転時の水の流れ方向とは逆向きに洗浄水を流す逆洗を行う際は、第１、第２の電動弁Ａ，Ｂを閉、第３、第４の電動弁Ｃ，Ｄを開にしたまま、第９、第１０の電動弁Ｉ，Ｊを閉、第１１、第１２の電動弁Ｋ，Ｌを開に制御する。そして、洗浄水ポンプ３を稼動させ、洗浄水が白抜き矢印ｂ１〜ｂ１０の順で配管内を流れるようにする。つまり、プレート式熱交換器１の逆洗時は、プレート式熱交換器１の負荷側熱交換部１ｂにて、水循環回路１０の通常運転時の水の流れ方向とは逆方向に洗浄水が流れるようにして、プレート式熱交換器１の洗浄を行う。
【００３９】
プレート式熱交換器１の洗浄が完了すれば、第１、第２の電動弁Ａ，Ｂを閉、第３、第４、第９〜第１２の電動弁Ｃ，Ｄ，Ｉ，Ｊ，Ｋ，Ｌを開とし、更に洗浄水回収管４９の開閉弁４８を開とし、洗浄水循環回路５３内の洗浄水を洗浄水タンク２へ回収する。
【００４０】
その後、第３、第４、第９、第１１、第１２の電動弁Ｃ，Ｄ，Ｉ，Ｋ，Ｌ及び洗浄水回収管４９の開閉弁４８を閉、第１、第２、第１０の電動弁Ａ，Ｂ、Ｊを開として、水栓１３を開き、正逆循環ポンプ１２を駆動して正回転させて正向きに水を流し、水循環回路１０内に水が充填されたら水栓１３を閉じることで、元のクローズド回路の水循環回路１０に復旧する。そして、水の流れの方向を逆向きとする場合は、正逆循環ポンプ１２を逆回転させて逆向きに洗浄水を流す。
【００４１】
なお、ここでも第１の配管４１に開閉弁付き空気導入管を設ければ、水循環回路１０からの水抜き、及び洗浄水循環回路５３から洗浄水タンク２への洗浄水の回収が更に容易となる。
【００４２】
このように、本発明の空気調和機のプレート式熱交換器の洗浄装置によれば、室内熱交換器４及び正逆循環ポンプ１２とプレート式熱交換器１の負荷側熱交換部１ｂとの間にユニット化された洗浄装置３３を配置して、洗浄装置３３により水循環回路１０だけでなく、洗浄水循環回路５３も形成できるようにしているので、空気調和機のプレート式熱交換器の洗浄を容易に行うことができる。
【符号の説明】
【００４３】
１  プレート式熱交換器、１ａ  熱源側熱交換部、１ｂ  負荷側熱交換部、２  洗浄水タンク、３  洗浄水ポンプ、４  室内熱交換器、５  四方弁（洗浄水流れ方向切換手段）、１０  水循環回路、１１  水ポンプ、１２  正逆循環ポンプ（洗浄水流れ方向切換手段）、１３  水栓、１４  開閉弁、１５  ドレン管、２０  冷媒循環回路、２１，２２，２３  制御装置、３１，３２，３３  洗浄装置、３５，３６  ブリッジ回路（洗浄水流れ方向切換手段）、４１  第１の配管、４２  第２の配管、４３  バイパス配管、４４  ブリッジ用第１バイパス配管、４５  ブリッジ用第２バイパス配管、４６  ブリッジ用第３バイパス配管、４７  ブリッジ用第４バイパス配管、４８  開閉弁、４９  洗浄水回収管、５１，５２，５３  洗浄水循環回路。
【図１】
2014105897.tif 000003
【図２】
2014105897.tif 000004
【図３】
2014105897.tif 000005